(57)【要約】【課題】天板に設けた電装部品と筐体に設けた制御基板との電気的な接続を容易に行うことができる加熱調理器を提供する。【解決手段】コンロは、制御基板２７と、制御基板２７が内部に設けられる筐体２と、筐体２の開口２５を閉塞する天板３と、天板３の下面側に設けられ、制御基板２７との電気的な接続を担うハーネス６１、６２が延びる電装部品と、筐体２内に設けられ、制御基板２７と電気的に接続し、且つハーネス６１、６２が接続されるコネクタ４Ａ、４Ｂとを備える。コンロは更に、天板３を支持する支持棒５２の一端部５２１を保持可能な一端保持部７３と、天板３の下面に設けられ、支持棒５２の他端部５２２を一端部５２１よりも上側に配置した状態で他端部５２２を保持可能な他端保持部８５とを備える。天板３は、右側部３Ｒを左側部３Ｆに対して上側にし、左側部３Ｆと支持棒５２とで支えて起立可能である。【選択図】図５
2020197325.tif 000002
【特許請求の範囲】
【請求項１】
バーナの燃焼を制御する制御回路を備える制御基板と、
上部が開口し、前記制御基板が内部に設けられる筐体と、
前記筐体の前記上部に設けられ、前記開口を閉塞する天板と、
前記天板の下面側に設けられ、前記制御基板との電気的な接続を担うハーネスが延びる電装部品と、
前記筐体内に設けられ、前記制御基板と電気的に接続し、且つ前記ハーネスが接続されるコネクタと
を備える加熱調理器において、
前記筐体に設けられ、前記天板を支持する支持棒の一端部を保持可能な一端保持部と、
前記天板の下面に設けられ、前記支持棒の他端部を前記一端部よりも上側に配置した状態で前記他端部を保持可能な他端保持部と
を備え、
前記天板は、左右方向一方側の側部を他方側の側部に対して上側にし、前記他方側の側部と前記支持棒とで支えて起立可能であること
を特徴とする加熱調理器。
【請求項２】
前記ハーネスは、前記天板の左右方向の他方側から引き出され、
前記筐体は、左右方向の他方側に、前記制御基板と前記コネクタを配置したこと
を特徴とする請求項１に記載の加熱調理器。
【請求項３】
前記支持棒は、前記一端保持部に回動可能に支持され、
前記筐体は、前記他端保持部が前記支持棒の前記他端部を保持しない場合に、前記支持棒を水平に倒した状態で収容する収容部を備えたこと
を特徴とする請求項１または２に記載の加熱調理器。
【請求項４】
前記支持棒は、両端に鉤状のフック部が形成され、
前記天板の前記一端保持部と、前記筐体の前記他端保持部は、夫々、前記フック部を差し込んで掛け留める穴部であること
を特徴とする請求項１または２に記載の加熱調理器。
【発明の詳細な説明】
【技術分野】
【０００１】
本発明は加熱調理器に関する。
【背景技術】
【０００２】
トッププレートの表面に操作部と表示部を設けた加熱調理器が知られている（例えば特許文献１参照）。操作部と表示部を制御する制御回路部はホルダーに保持され、トッププレートの裏面に固定される。制御回路部は、筐体内に設けられるメイン回路部にリード線により接続される。このような加熱調理器をキッチンのキャビネットに組み付ける場合、キャビネットに筐体を設置した後、トッププレートを取り付ける前に、制御回路部とメイン回路部とをリード線によって接続し、その後、トッププレートを筐体に固定する作業が行われる。
【先行技術文献】
【特許文献】
【０００３】
【特許文献１】特許第４８９３２０８号公報
【発明の概要】
【発明が解決しようとする課題】
【０００４】
しかしながら、設置作業において、作業者が一人だったり、作業場所に十分な大きさが確保できなかったりする場合がある。この場合に作業者は、例えばトッププレートを片手で支持しながら、もう一方の手で制御回路部とメイン回路部とをリード線によって接続しなければならず、接続作業に時間や手間がかかっていた。
【０００５】
本発明の目的は、天板に設けた電装部品と筐体に設けた制御基板との電気的な接続を容易に行うことができる加熱調理器を提供することである。
【課題を解決するための手段】
【０００６】
請求項１に係る加熱調理器は、バーナの燃焼を制御する制御回路を備える制御基板と、上部が開口し、前記制御基板が内部に設けられる筐体と、前記筐体の前記上部に設けられ、前記開口を閉塞する天板と、前記天板の下面側に設けられ、前記制御基板との電気的な接続を担うハーネスが延びる電装部品と、前記筐体内に設けられ、前記制御基板と電気的に接続し、且つ前記ハーネスが接続されるコネクタとを備える加熱調理器において、前記筐体に設けられ、前記天板を支持する支持棒の一端部を保持可能な一端保持部と、前記天板の下面に設けられ、前記支持棒の他端部を前記一端部よりも上側に配置した状態で前記他端部を保持可能な他端保持部とを備え、前記天板は、左右方向一方側の側部を他方側の側部に対して上側にし、前記他方側の側部と前記支持棒とで支えて起立可能であることを特徴とする。
【０００７】
請求項２に記載の加熱調理器の前記ハーネスは、前記天板の左右方向の他方側から引き出され、前記筐体は、左右方向の他方側に、前記制御基板と前記コネクタを配置するとよい。
【０００８】
請求項３に記載の加熱調理器の前記支持棒は、前記一端保持部に回動可能に支持され、前記筐体は、前記他端保持部が前記支持棒の前記他端部を保持しない場合に、前記支持棒を水平に倒した状態で収容する収容部を備えるとよい。
【０００９】
請求項４に記載の加熱調理器の前記支持棒は、両端に鉤状のフック部が形成され、前記天板の前記一端保持部と、前記筐体の前記他端保持部は、夫々、前記フック部を差し込んで掛け留める穴部であるとよい。
【００１０】
請求項１に記載の加熱調理器を設置する場合、支持棒で支えて天板を起立させることができる。従って、作業者は両手を用い、ハーネスをコネクタに接続する作業を容易に行うことができる。また、支持棒が天板を起立状態に保持するので、加熱調理器の設置作業中に天板が倒れることがなく、天板や家屋設備の破損等を防止できる。
【００１１】
請求項２に記載の加熱調理器において、天板を起立させたとき、ハーネスとコネクタの接続が、天板の基礎側となる左右方向の他方側にて行われる。従って、ハーネスを短くできるので、ハーネスをコネクタに接続し、筐体に天板を組み付ける作業を容易に行うことができる。
【００１２】
請求項３に記載の加熱調理器の支持棒は、筐体の収容部に収容可能であるので、加熱調理器の設置作業後も紛失する虞がなく、メンテナンス時にも使用することができる。
【００１３】
請求項４に記載の加熱調理器の天板の一端保持部と筐体の他端保持部は夫々穴部であるので、形成が容易であり、加熱調理器の生産コストを低減することができる。
【図面の簡単な説明】
【００１４】
【図１】コンロ１の斜視図である。
【図２】コンロ１の平面図である。
【図３】天板３の下面に固定したセンサケース４０に対して、左ダクト部７１と右ダクト部７２を介して、左フロントパネル８０と右フロントパネル９０が接続した状態の斜視図である。
【図４】天板３、電装基板１００、及びセンサケース４０の分解斜視図である。
【図５】支持棒５２により天板３が保持される状態を示す斜視図である。
【図６】支持棒５６により天板３が保持される状態を示す斜視図である。
【発明を実施するための形態】
【００１５】
以下、本発明の実施形態を説明する。以下に記載される装置の構造などは、特定的な記載がない限り、それのみに限定する趣旨ではなく、単なる説明例である。図面は、本発明が採用しうる技術的特徴を説明する為に用いられるものである。
【００１６】
＜コンロ１の概要＞
図１〜図５を参照し、コンロ１の構造を説明する。図１に示すコンロ１は、ビルトインコンロである。コンロ１は筐体２と天板３を備える。筐体２の上側に天板３が載置される。筐体２は、上部に開口部２５（図５参照、後述）を有する。筐体２内には、左バーナ４、右バーナ５、制御基板２７（図５参照）、コネクタ４Ａ、４Ｂ（図５参照）等が収容される。筐体２内の詳細については後述する。
【００１７】
天板３は、筐体２の開口部２５を上側から閉塞する。天板３は、ガラス製の本体板３Ａ、及び、本体板３Ａを補強する為に本体板３Ａの下面に固定された固定部３Ｂ（図３、図４参照）を有する。本体板３Ａは矩形状を有する。以下、本体板３Ａの左側の側部を「天板３の左側部３Ｆ」といい、右側の側部を「天板３の右側部３Ｒ」という。本体板３Ａの上面左側には左バーナ４、上面右側には右バーナ５がそれぞれ配置される。本体板３Ａの上面後側にはグリル用の排気口７が設けられる。本体板３Ａの下面には、一部透過性を有する非透過性の印刷が施される。筐体２の前面の中央部には、グリル扉８が手前側に引き出し可能に設けられる。グリル扉８は、筐体２内部に設けられるグリル庫８１（図５参照）の前側のグリル開口（図示略）を開閉する。グリル扉８の前面の上部には、取手８Ａが前方に突出して設けられる。筐体２の前面において、グリル扉８の左側の上下には、化粧板６Ａ、６Ｂが取り付けられ、右側の上下には、化粧板６Ｃ、６Ｄが取り付けられる。
【００１８】
図３に示す左フロントパネル８０及び右フロントパネル９０は、それぞれ、筐体２の前面に固定される。図１に示すように、右フロントパネル９０の前面上部に設けられた電源スイッチ１９は、化粧板６Ｃの前面上部の開口６０から前方に突出する。筐体２の前面から化粧板６Ａ〜６Ｄを取り外すと、図３に示す左フロントパネル８０及び右フロントパネル９０の前面が露出する。左フロントパネル８０、及び右フロントパネル９０のそれぞれの前面下部に設けられた非図示の空気入口は、外部の空気を内側に取り入れる。
【００１９】
図２に示すように、天板３の本体板３Ａの上面の前側部において、左バーナ４の前側には、左バーナ４を操作する為の左操作部１１が設けられ、右バーナ５の前側には、右バーナ５を操作する為の右操作部１２が設けられる。左操作部１１には、左バーナ４の点火、消火、及び火力の増減等の操作を、指先のタッチで受け付ける複数の受付部と、タイマ時間、使用状態等に応じて点灯又は点滅する表示部等が設けられる。右操作部１２にも、左操作部１１と同様に、右バーナ５の操作に対応する複数の受付部、表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、及びグリル用発光表示部１３において、受付部は、ユーザによるタッチ操作の位置を示すために天板３に印刷されたボタン、マーク、又は記号等である。表示部は、天板３の本体板３Ａの非印刷領域であって透過性を有する。以下、左操作部１１、右操作部１２、及びグリル用発光表示部１３を総称して「入出力部１４」という。
【００２０】
図４に示すように、天板３の本体板３Ａの下面の前側部には、上面に設けられた入出力部１４に対応するように、電装基板１００が接着剤、又は両面テープ等で貼着される。電装基板１００の上面には、複数のＬＥＤ、近接センサ等が実装される。複数のＬＥＤから発光された光は、入出力部１４の表示部を介して上方に出射する。近接センサは、入出力部１４の受付部に対するユーザのタッチ操作を検出可能である。電装基板１００の下面の左右方向中央に、コネクタ１００Ａが実装される。コネクタ１００Ａには、電装基板１００に実装された複数のＬＥＤ、近接センサ等が電気的に接続される。電装基板１００を下方から内包するように、後述のセンサケース４０が固定部３Ｂを介して固定される。
【００２１】
図２に示すように、左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７は、天板３の本体板３Ａの非印刷領域であって、透過性を有する。
【００２２】
センサ用窓部１５の下方に、左から右にセンサ３１〜３４が夫々配置される。センサ用窓部１６の下方には、左から右にセンサ３５〜３８が夫々配置される。センサ用窓部１７の下方には、センサ３９が配置される。センサ３１〜３９は、上方に位置する異物までの距離を測定可能な一般的な測距センサであり、例えば赤外線センサである。センサ３１〜３９は、天板３の下面に固定されたセンサケース４０に収容されると共に、天板３の下面側に支持される。
【００２３】
図３、図４に示すように、天板３の下側、且つ、固定部３Ｂの前後左右両方向の略中央に、下方に向けて隆起した隆起部３Ｃが設けられ、その頂点部分に他端保持部８５が設けられる。他端保持部８５は円形の貫通穴である。他端保持部８５は、コンロ１の設置過程において天板３を起立させた状態で保持するために、後述する支持棒５２のフック部５２Ｂ（図５参照）が差し込まれる。
【００２４】
＜センサケース４０、ハーネス６１、６２＞
図３、図４に示すように、センサケース４０は、左右方向に延びる樹脂製の構造物である。センサケース４０は、本体部４１を備える。本体部４１は、平面視左右方向に延びるケース体である。図４に示すように、本体部４１は、基板収容部４４及びセンサ収容部４５を備える。
【００２５】
基板収容部４４は、本体部４１の前端部に設けられ、電装基板１００を内包する。基板収容部４４の底面の左右方向中央に、開口部４４Ａが設けられる。基板収容部４４が電装基板１００を内包した状態で、電装基板１００のコネクタ１００Ａは開口部４４Ａから露出する。基板収容部４４の下側に、ハーネス６１が非図示のフックにより固定されている。ハーネス６１は、一端部が基板収容部４４の開口部４４Ａ近傍に配置され、他端部に向けて左方に延びる。ハーネス６１の一端部は、電装基板１００のコネクタ１００Ａに接続される。ハーネス６１の他端部は、天板３の左側部３Ｆの前方から引き出され、筐体２内に設けられた後述のコネクタ４Ａに接続される（図５参照、詳細後述）。電装基板１００に実装された複数のＬＥＤ、近接センサ等は、ハーネス６１及びコネクタ４Ａを介して電気的に接続される筐体２内の制御基板２７（図５参照）により制御される。
【００２６】
センサ収容部４５は、本体部４１の後端部に設けられ、センサ３１〜３９（図２参照）を収容する。センサ３１〜３９のそれぞれには、センサ収容部４５内でハーネス６２の一端部が接続される。ハーネス６２の他端部は、センサ収容部４５の左端部に設けられた開口部から外部に突出し、天板３の左側部３Ｆの前方から引き出され、筐体２内に設けられた後述のコネクタ４Ｂに接続される（図５参照、後述）。センサ３１〜３９は、ハーネス６２及びコネクタ４Ａを介して電気的に接続される筐体２内の制御基板２７（図５参照）により制御される。
【００２７】
図３に示すように、センサケース４０の左端部の左筒部４２には、左フロントパネル８０の空気入口との間に亘って上下方向に延びる略筒状の左ダクト部７１が接続される。左ダクト部７１の内側には、冷却ファン（図示略）が取り付けられる。冷却ファンによって左フロントパネル８０の空気入口に取り込まれた冷却空気は、左ダクト部７１を介してセンサケース４０に供給される。センサケース４０の右端部の右筒部４３には、右フロントパネル９０の空気入口との間に亘って上下方向に延びる略筒状の右ダクト部７２が接続される。右ダクト部７２の内側には、冷却ファン（図示略）が取り付けられる。冷却ファンによって右フロントパネル９０の空気入口に取り込まれた冷却空気は、右ダクト部７２を介してセンサケース４０に供給される。供給された冷却空気は、基板収容部４４内の電装基板１００（図４参照）、及び、センサ収容部４５のセンサ３１〜３９（図２参照）を冷却する。
【００２８】
＜筐体２内の構造＞
図５に示すように、筐体２の左壁部２１、右壁部２２、前壁部２３、後壁部２４のそれぞれの上端部は、矩形状の開口部２５を形成する。筐体２の内側上部において、左壁部２１と右壁部２２との間には、左右方向に延びる細長板状の梁部材４６、４７が架設される。梁部材４６、４７のそれぞれの左右方向略中央部の間に、梁部材４８が架設される。梁部材４６、４８は、左バーナ４及び右バーナ５を筐体２内で支持する。梁部材４６〜４８よりも下方の位置に、グリル庫８１が設置される。
【００２９】
筐体２の内部であって、左壁部２１近傍且つ梁部材４６、４７の下側に、制御基板２７が固定されている。制御基板２７には、ＣＰＵ等を含む制御回路が実装されている。制御基板２７の制御回路は、電装回路１００の複数のＬＥＤの発光制御、電装回路１００の近接センサを介したユーザのタッチ操作検出、センサ３１〜３９を介した異物検知等の制御を行う。又、制御基板２７の制御回路は、左バーナ４及び右バーナ５に供給されるガス量を調整することによって、左バーナ４及び右バーナ５の燃焼を制御する。筐体２の内部であって、後壁部２４の左端部に、コネクタ４Ａ、４Ｂが設けられる。コネクタ４Ａ、４Ｂは、非図示のケーブルを介して制御基板２７の制御回路と電気的に接続する。コネクタ４Ａには、天板３から延びるハーネス６１を装着可能である。コネクタ４Ｂには、天板３から延びるハーネス６２を装着可能である。
【００３０】
筐体２の後壁部２４近傍、且つ、グリル用の排気口７に連通する排気流路７Ａの上面に、天板３を支持するための支持棒５２が設けられる。支持棒５２は棒状を有する。支持棒５２の一端部５２１には、前方及び後方にそれぞれ突出する一対の突出部５２Ａが設けられる。排気流路７Ａの左端部に設けられた一端保持部７３は、支持棒５２の一対の突出部５２Ａを回動可能に支持する。これにより、支持棒５２は、一端部５２１において一端保持部７３により回動可能に支持される。
【００３１】
図５の実線は、支持棒５２が一端部５２１を中心として、前側から視た場合において時計回りに最も回動した状態を示す。以下、特段の説明がない限り、コンロ１を前側から視た場合を前提として回動方向（時計回り方向／反時計回り方向）を説明する。この状態で、支持棒５２は、一端保持部７３により保持された一端部５２１から他端部５２２に向けて、右方水平方向に延びる。以下、支持棒５２が左右方向に延びた図５の実線の状態を、「収容状態」という。支持棒５２の他端部５２２に、鉤状に曲折したフック部５２Ｂが設けられる。
【００３２】
支持棒５２は、収容状態において、排気流路７Ａの上面に設けられた収容部７４により左右方向中央で支持される。収容部７４は、前後方向に対向する一対の突出部を有し、収容状態の支持棒５２の左右方向中央を前後方向から挟持する。これにより、収容部７４は、水平に倒された状態で回動が抑制され、筐体２内に収容された状態で保持される。なお、収容部７４は、支持棒５２に対して上向きの力が作用した場合、支持棒５２を挟持した状態を解除する。これにより、支持棒５２は、前側から視た場合において反時計回りに回動可能となる。図５の二点鎖線は、支持棒５２が収容状態から反時計回りに略１２０°回動した状態を示す。
【００３３】
＜筐体２に対する天板３の設置方法＞
図５に示すように、はじめに作業者は、天板３が取り外された状態の筐体２を、キャビネットに固定する。次に作業者は、キャビネットの上面のうち筐体２に対して左側に、天板３を配置する。このとき、例えば筐体２に対して左側のスペースに制約がある場合、天板３を上下反転させた状態でキャビネットの上面に載置できない。このような場合、作業者は、図５に示すように、天板３の右側部３Ｒを左側部３Ｆに対して上側にして起立させる。天板３の左側部３Ｆは、キャビネットの上面に載置される。作業者は、天板３が起立した状態で倒れないように、天板３を把持する。
【００３４】
次に作業者は、図中の二点鎖線にて示すように、収容状態の支持棒５２を反時計回り方向に回動させる（矢印Ｙ１１）。支持棒５２の他端部５２２は、一端部５２１に対して上側に配置される。次に作業者は、図中の二点鎖線にて示すように、起立した状態の天板３を筐体２側に倒す（矢印Ｙ１２）。天板３の固定部３Ｂに設けられた他端保持部８５に、支持棒５２の他端部５２２のフック部５２Ｂが差し込まれる。フック部５２Ｂは、天板３の他端保持部８５に掛け留められて保持される。天板３は、左側部３Ｆに対して右側部３Ｒが右斜め上側に配置される向きで起立状態となり、左側部３Ｆと支持棒５２とにより支えられる。作業者が天板３から手を放しても、天板３は起立状態で維持される。
【００３５】
次に作業者は、天板３の左側部３Ｆの前方から引き出されたハーネス６１、６２を、筐体２内の左壁部２１近傍に沿って後方に誘導する。筐体２内の左後方に配置されたコネクタ４Ａにハーネス６１が接続され、コネクタ４Ｂにハーネス６２が接続される。これにより、ハーネス６１及びコネクタ４Ａを介して電装基板１００が制御基板２７に電気的に接続され、ハーネス６２及びコネクタ４Ｂを介してセンサ３１〜３９が制御基板２７に電気的に接続される。
【００３６】
次に作業者は、天板３を把持して僅かに起立させ、天板３の他端保持部８５から支持棒５２のフック部５２Ｂを取り外す。次に作業者は、支持棒５２を時計回り方向に回動させて収容状態とする。次に作業者は、天板３を筐体２側に倒し、筐体２の開口部２５を天板３により覆う。このとき、センサケース４０の左筒部４２は、左フロントパネル８０の左ダクト部７１（図３参照）に接続され、センサケース４０の右筒部４３は、右フロントパネル９０の右ダクト部７２（図３参照）に接続される。以上により、筐体２に対する天板３の設置は完了する。
【００３７】
＜本実施形態の作用、効果＞
上記のように、コンロ１が設置される場合、作業者は支持棒５２で天板３を支えて起立させることができる。従って、作業者は両手を用い、ハーネス６１、６２をコネクタ４Ａ、４Ｂに接続する作業を容易に行うことができる。又、支持棒５２が天板３を起立状態に保持するので、コンロ１の設置作業中に天板３が倒れることがなく、天板３や家屋設備の破損等を防止できる。
【００３８】
ハーネス６１、６２は、天板３の左側部３Ｆ側から引き出される。なお、コンロ１の設置作業においてハーネス６１、６２とコネクタ４Ａ、４Ｂの接続は、天板３の左側にて行われる。つまり、ハーネス６１、６２が引き出される側と、ハーネス６１、６２がコネクタ４Ａ、４Ｂに接続される側は、コンロ１の左右方向において同一側となる。従って、ハーネス６１、６２を短くできるので、ハーネス６１、６２をコネクタ４Ａ、４Ｂに接続し、筐体２に天板３を組み付ける作業を容易に行うことができる。
【００３９】
支持棒５２は、一端保持部７３に回動可能に支持される。筐体２の他端保持部８５が支持棒５２の他端部５２２のフック部５２Ｂを保持しない場合に、支持棒５２は収容部７４により、水平に倒した状態で筐体２内に収容される。このように、支持棒５２は筐体２の収容部７４に収容可能であるので、コンロ１の設置作業後も紛失する虞がなく、メンテナンス時にも使用できる。
【００４０】
＜変形例＞
本発明は上記実施形態に限定されず、種々の変更が可能である。上記の支持棒５２（図５参照）の代わりに、図６に示す支持棒５６が用いられる場合の変形例について説明する。図６に示すように、支持棒５６はコンロ１に対して着脱可能である。支持棒５６には、両端部に鉤状のフック部５６Ａ、５６Ｂが設けられる。より詳細には、支持棒５６の一端部５６１にフック部５６Ａが設けられ、他端部５６２にフック部５６Ｂが設けられる。
【００４１】
筐体２の排気流路７Ａには、図５に示す一対の突出部５２Ａは設けられず、代わりに、図６に示すように、上方に向けて隆起した隆起部７７が設けられ、その頂点部分に一端保持部７７Ａが設けられる。一端保持部７７Ａは円形の貫通穴である。
【００４２】
筐体２に対して天板３が設置される場合、作業者は、天板３が起立して倒れないように把持した後、天板３を僅かに倒す（矢印Ｙ１３）。天板３の他端保持部８５に支持棒５６のフック部５６Ｂを差し込み、筐体２の一端保持部７７Ａに支持棒５６のフック部５６Ａを差し込む（矢印Ｙ１４）。一端保持部７７Ａに支持棒５６のフック部５６Ａが掛け留められ、他端保持部８５に支持棒５６のフック部５６Ｂが掛け留められる。天板３は、左側部３Ｆに対して右側部３Ｒが右斜め上側に配置される向きで起立状態となり、左側部３Ｆと支持棒５６とにより支えられる。作業者が天板３から手を放しても、天板３は起立状態で維持される。このため、作業者は、天板３の左側部３Ｆの前方から引き出されたハーネス６１、６２を、筐体２内のコネクタ４Ａ、４Ｂに接続する作業を容易に行うことができる。
【００４３】
以上のように、変形例において、支持棒５６により天板３を支持するための一端保持部７７Ａ及び他端保持部８５は、それぞれ穴部であり、形成が容易である。このため、コンロ１の生産コストを低減できる。
【００４４】
＜その他の変形例＞
天板３の左側部３Ｆと筐体２の開口部２５の左端部との間は、ヒンジ等により回動可能に接続されてもよい。上記実施形態において、支持棒５２は筐体２の排気流路７Ａに対して回動可能に連結されていた。排気流路７Ａに対する支持棒５２の連結方法は、この方法に限定されない。例えば支持棒５２は、筐体２に格納された収縮状態と、上方に向けて延びた伸長状態との間で伸縮可能であってもよい。支持棒５２は、天板３側に回動可能に設けられていてもよい。支持棒５２は、収容部７４以外の構成によって筐体２に収容されてもよい。例えば筐体２は、支持棒５２を格納するための凹部を有していてもよい。支持棒５２は、この凹部に格納されることで、筐体２に収容されてもよい。ハーネス６１、６２の引き出される方向は、天板３の左側部３Ｆ側に限らず、他の部分から引き出されてもよい。筐体２内のコネクタ４Ａ、４Ｂは、筐体２の後壁部２４の左右方向中央、又は右端部に設けられてもよい。一端保持部７７Ａ及び他端保持部８５は貫通穴に限らず、支持棒５２、５６のずれを防止する他の機構であってもよい。例えば、天板３の固定部３Ｂ及び筐体２の排気流路７Ａから突出する突出部、支持棒５２、５６の端部が嵌合する嵌合部、支持棒５２、５６の端部が係合する係合部等であってもよい。上記実施形態のコンロ１は、ビルトインコンロであるが、テーブルコンロであってもよい。
【００４５】
＜その他＞
コンロ１は、本発明の「加熱調理器」の一例である。電装基板１００及びセンサ３１〜３９は、本発明の「電装部品」の一例である。天板３の右側部３Ｒは、本発明の「一方側の側部」の一例である。天板３の左側部３Ｆは、本発明の「他方側の側部」の一例である。
【符号の説明】
【００４６】
１        ：コンロ
２        ：筐体
３        ：天板
４Ａ、４Ｂ      ：コネクタ
２５      ：開口部
２７      ：制御基板
３１、３２、３３、３４、３５、３６、３７、３８、３９      ：センサ
４０      ：センサケース
４１      ：本体部
４２      ：左筒部
４３      ：右筒部
５２、５６      ：支持棒
５２Ｂ、５６Ａ、５６Ｂ    ：フック部
５６      ：支持棒
６１、６２      ：ハーネス
７３、７７Ａ      ：一端保持部
７４      ：収容部
８５      ：他端保持部
１００    ：電装基板
５２１、５６１    ：一端部
５２２、５６２    ：他端部
【図１】
2020197325.tif 000003
【図２】
2020197325.tif 000004
【図３】
2020197325.tif 000005
【図４】
2020197325.tif 000006
【図５】
2020197325.tif 000007
【図６】
2020197325.tif 000008